(57)【要約】      （修正有）【課題】地震などによる振動で転倒することがない石碑を提供する。【解決手段】地面に置かれる芝台３に、第一石材５，第二石材７，第三石材９が順に積み上げられて構成される。第一石材５の上面には凹部３１が形成され、下端部には凸部３３が形成されている。第一石材５は、芝台３の穴に凸部３３がはめ込まれて芝台３に載置され、凸部３３の下面は地面に当接する。第二石材７には、下方へ突出して凸部４３が形成されている。第二石材７の上端部には、凹部４１が形成されると共に、凹み部４９が形成されている。第二石材７は、凸部４３が第一石材５の凹部３１にはめ込まれて第一石材５に載置される。第三石材９には、下方へ突出して凸部５３が形成されていると共に突出部５５が形成されている。第三石材９は、凸部５３および突出部５５が第二石材７の凹部４１および凹み部４９にはめ込まれて第二石材７に載置される。【選択図】図４
0003187352.tif 000002
【実用新案登録請求の範囲】
【請求項１】
下側石材と、この下側石材に載せ置かれる上側石材とを備えて構成される石碑であって、
前記下側石材の上部には、上方へ開口する凹部が形成され、
前記上側石材の下部には、前記凹部にはめ込まれる凸部が、下方へ突出して形成されており、
前記下側石材の前記凹部の上端部には、凹み部が形成されており、
前記上側石材には、前記凹み部にはめ込まれる突出部が形成されている
ことを特徴とする石碑。
【請求項２】
前記上側石材の前記凸部は、断面正方形状とされ、
前記凸部の上端部の中央部に、前記突出部が形成されており、
この突出部は、断面矩形状とされる
ことを特徴とする請求項１に記載の石碑。
【考案の詳細な説明】
【技術分野】
【０００１】
本考案は、石碑に関するものであり、特に墓石に関するものである。
【背景技術】
【０００２】
石碑は、１つの石材により構成されていたり、２つ以上の石材を積み上げて構成されたりしている。石材を２つ以上積み上げて構成する場合、地震などの振動で上段の石材が倒れることがある。
【０００３】
そこで、従来、下側の石材と上側の石材を粘着剤や粘着シートなどで固定したり、ボルトにより固定したりすることで、石材の転倒を防止することが行われている。
【考案の概要】
【考案が解決しようとする課題】
【０００４】
しかしながら、粘着剤や粘着シートなどで石材同士を固定する場合、年数が経過すると粘着力が弱まり、上側の石材が転倒するおそれがある。また、接着剤などが外部から視認されて、見栄えが悪くなることがあった。さらに、ボルトなどで石材同士を固定する場合、ボルトを石材に取り付ける際、石材が割れるおそれがあった。
【０００５】
本考案が解決しようとする課題は、粘着剤、粘着シートまたはボルトを使用することなく、地震などによる振動で転倒することがない石碑を提供することにある。
【課題を解決するための手段】
【０００６】
本考案は、前記課題を解決するためになされたもので、請求項１に記載の考案は、下側石材と、この下側石材に載せ置かれる上側石材とを備えて構成される石碑であって、前記下側石材の上部には、上方へ開口する凹部が形成され、前記上側石材の下部には、前記凹部にはめ込まれる凸部が、下方へ突出して形成されており、前記下側石材の前記凹部の上端部には、凹み部が形成されており、前記上側石材には、前記凹み部にはめ込まれる突出部が形成されていることを特徴とする石碑である。
【０００７】
さらに、請求項２に記載の考案は、前記上側石材の前記凸部は、断面正方形状とされ、前記凸部の上端部の中央部に、前記突出部が形成されており、この突出部は、断面矩形状とされることを特徴とする請求項１に記載の石碑である。
【考案の効果】
【０００８】
本考案によれば、粘着剤、粘着シートまたはボルトを使用することなく、地震などの振動で転倒することがない石碑を提供できる。
【図面の簡単な説明】
【０００９】
【図１】本考案の石碑の一実施例を示す斜視図である。
【図２】図１の石碑の分解斜視図である。
【図３】図１の石碑の第三石材を示す斜視図である。
【図４】図１の石碑を右側から見た断面図である。
【考案を実施するための形態】
【００１０】
以下、本考案の石碑の一実施例について図面に基づいて具体的に説明する。
【００１１】
図１は、本考案の石碑の一実施例を示す斜視図である。
本実施例の石碑１は、地面に置かれる芝台３に、３つの石材５，７，９が順に積み上げられて構成される墓石とされる。
【００１２】
図２は、本実施例の石碑の分解斜視図であり、図３は、第三石材を示す斜視図である。また、図４は、本実施例の石碑を右側から見た断面図である。
【００１３】
最下段の芝台３は、４つの石片１１，１３，１５，１７により構成される。各石片１１，１３，１５，１７は、平面視で長方形状とされ、各石片１１，１３，１５，１７の高さ寸法ａは同じとされる。
【００１４】
この４つの石片１１，１３，１５，１７が、四角形状に囲うように配置されて、芝台３は枠状に構成される。具体的には、長手方向を左右方向に沿うように第一石片１１が配置され、この第一石片１１の両端部に第二石片１３および第三石片１５の各前端部が当接されて、第二石片１３および第三石片１５が前後方向に沿うように配置される。そして、第二石片１３と第三石片１５の後端部間に第四石片１７が配置される。このように、第一石片１１〜第四石片１７が、口字形状に配置され、中央部に正方形状の穴Ｈが形成される。
【００１５】
芝台３に載せ置かれる第一石材５は、平面視正方形状の石材とされる。第一石材５は、その上面の中央部に上方へ開口する凹部３１が形成され、下端部には下方へ突出して凸部３３が形成されている。
【００１６】
第一石材５の上端部は、上方へ行くに従って内側に傾斜する傾斜面３５に形成され、上面３７は、水平面に形成されている。傾斜面３５は湾曲した形状とされ、水平な上面３７と傾斜面３５の境界部３５ａは円弧面に形成されている。本実施例では、水平な上面３７の中央部に正方形状の凹部３１が形成されている。
【００１７】
凸部３３は、断面正方形状とされ、芝台３の中央の穴Ｈに対応している。また、凸部３３の高さ寸法ｂは、芝台３の各石片１１，１３，１５，１７の高さ寸法ａ、つまり芝台３の穴Ｈの深さに対応している。
【００１８】
第一石材５の正面中央部には、奥側へ向けて空洞部３９が形成されており、この空洞部３９は下方へも開口している。
【００１９】
第一石材５は、その凸部３３が、芝台３の中央部の穴Ｈにはめ込まれて、芝台３に載せ置かれると共に、凸部３３の下面が地面に当接して配置される。第一石材５が芝台３に載置された状態では、芝台３の各石片１１，１３，１５，１７の一端辺部が、第一石材５の下部に配置され、第一石材５は各石片１１，１３，１５，１７に囲まれて配置される。
【００２０】
第二石材７は、平面視正方形状の石材とされる。第二石材７は、その上端面中央部に、上方へ開口する凹部４１が形成され、下端部に、下方へ突出して凸部４３が形成されている。第二石材７は、第一石材５より横寸法が小さく形成されている。
【００２１】
第二石材７の上端部は、上方へ行くに従って内側に傾斜する傾斜面４５に形成され、上面４７は、水平面に形成されている。傾斜面４５は湾曲した形状とされ、水平な上面４７と傾斜面４５の境界部４５ａは円弧面に形成されている。
【００２２】
本実施例では、水平な上面４７の中央部に正方形状の凹部４１が形成されている。
また、凹部４１の上端部には、その後端辺部の左右方向中央部に、矩形状に凹んで凹み部４９が形成されている。
【００２３】
凸部４３は、断面正方形状とされ、第一石材５の凹部３１に対応した形状とされる。
第二石材７は、その凸部４３が第一石材５の凹部３１にはめ込まれて第一石材５に載置される。
【００２４】
第二石材７に載せ置かれる第三石材（棹石）９は、平面視正方形状とされる一方、上下に長い石材とされる。
【００２５】
第三石材９は、その下端部に下方へ突出して凸部５３が形成されている。
この凸部５３は、断面正方形状とされ、第二石材７の凹部４１に対応した形状とされる。なお、本実施例では、正方形状の凸部５３の四つ角はそれぞれ面取りされている。
【００２６】
また、本実施例では、凸部５３の上端部には、その後端辺部の左右方向中央部に、矩形状の突出部５５が一体に形成されている。
この突出部５５は、第二石材７の凹み部４９に対応した形状とされる。
【００２７】
本実施例では、突出部５５の幅寸法ｃは、凸部５３の幅寸法ｄの１／４とされる。
また、突出部５５の上下寸法ｅは、凸部５３の上下寸法ｆの１／６とされる。
さらに、突出部５５の前後寸法ｇは、凸部５３の後端辺と第三石材９の後端辺との間隔ｈの１／２とされる。つまり、突出部５５は、凸部５３の後端辺と第三石材９の後端辺との間隔ｈの半分の位置まで、凸部５３から後方へ突出している
【００２８】
第三石材９は、その凸部５３および突出部５５が第二石材７の凹部４１および凹み部４９にはめ込まれて第二石材７に載置される。
【００２９】
このように、地面に載置された芝台３に、第一石材５、第二石材７および第三石材９が順に積み重ねられて石碑１が構成される。
本実施例では、第一石材５〜第三石材９が積み重ねられる際、下側の石材５，７の凹部３１，４１に、上側の石材７，９の凸部４３，５３がはめ込まれることで、地震などの振動による各石材５，７，９の転倒を防止できる。
【００３０】
また、本実施例では、最上段に配置される第三石材９には、凸部５３の外周部に突出部５５が形成されており、第三石材９が第二石材７に載置される際、第三石材９の突出部５５が第二石材７の凹み部４９にはめ込まれる。これにより、がたつきがなくなり、より一層、最上段に配置される第三石材９の転倒が防止される。
【００３１】
また、本実施例では、第一石材５は、その凸部３３が芝台３の穴Ｈにはめ込まれることで、第一石材５も転倒が防止される。さらに、本実施例では、第一石材５は、その凸部３３の下面が地面に接地していることで、より転倒し難い構造となっている。
【００３２】
このように本実施例の石碑１によれば、地震などの振動で石碑１を構成する各石材５，７，９が転倒するおそれがない。また、本実施例では、第一石材５〜第三石材９を積み重ねる際に、接着剤などを使用しておらず、外部から接着剤などが見えることがなく見栄えがよい。つまり、本実施例では、第一石材５〜第三石材９は、石組みだけで組み立てられており、見栄えがよい。
【００３３】
本考案の石碑は、上記実施例の構成に限らず、適宜変更可能である。
たとえば、芝台３や各石材５，７，９の形状は、適宜変更可能である。
また、上記実施例では、芝台３に３つの石材５，７，９を載置して石碑を構成したが、２つまたは４つ以上の石材を積み重ねて石碑を構成してもよい。
【００３４】
さらに、各石材５，７，９の凸部３３，４３，５３や、凹部３１，４１、および芝台３の穴Ｈの形状は、適宜変更可能である。
【００３５】
また、上記実施例では、第三石材９に突出部５５を形成する一方、第二石材７に凹み部４９を形成してはめ込む構成としたが、これと同様に、第二石材７に突出部を形成し、第一石材５に凹み部を形成してはめ込むようにしてもよい。
【００３６】
また、第三石材９の突出部５５の大きさは適宜変更可能である。
この際、突出部５５の幅寸法ｃは、凸部５３の幅寸法ｄの１／６〜１／２とされるのが好ましく、突出部５５の上下寸法ｅは、凸部５３の上下寸法ｆの１／８〜１／４とされるのが好ましい。また、突出部５５の前後寸法ｇは、凸部５３の後端辺と第三石材９の後端辺との間隔ｈの１／３〜２／３とされるのが好ましい。
【符号の説明】
【００３７】
１    石碑
３    芝台
５    第一石材
７    第二石材
９    第三石材
３１    凹部
３３    凸部
４１    凹部
４３    凸部
４９    凹み部
５３    凸部
５５    突出部
【図１】
0003187352.tif 000003
【図２】
0003187352.tif 000004
【図３】
0003187352.tif 000005
【図４】
0003187352.tif 000006